(57)【特許請求の範囲】
【請求項１】
有底四角箱状に形成された容器本体の上部に、横方向に延びる周面フランジを設けるとともに、容器本体のコーナ部に、上下を繋ぐように縦方向に延びる補強リブを設け、かつ容器本体の側壁の外面には、所定のカードを添着可能に構成した運搬用容器であって、
前記補強リブが側壁に添着されたカードに触れないように、補強リブの基端側をその側壁の延長線上に延びるように形成するとともに、先端側をその側壁の外面とのなす角度が９０度又はそれより大きくなる方向に延びるように形成した運搬用容器。
【請求項２】
前記補強リブを断面Ｌ字状に形成した請求項１に記載の運搬用容器。
【発明の詳細な説明】
【０００１】
【発明の属する技術分野】
この発明は、例えば、工場内での流れ作業や物流における仕分け作業等において使用される運搬用容器に関するものである。より詳しくは、例えば、被収容物の名称や宅配先等を表示するためのカードを外面に添着することによって、被収容物を一目で認識することができるように構成された運搬用容器に関するものである。さらに詳しくは、外面のカード添着部を広く形成することによって、より大きな文字、記号や多くの情報等を表示でき、被収容物の認識を効率的に行うことができるように構成された運搬用容器に関するものである。
【０００２】
【従来の技術】
従来より、この種の運搬用容器は、例えば、合成樹脂により有底四角箱状に形成されるとともに、その容器本体の上部及び下部には、容器本体の強度を高めるための周面フランジが、横方向に連続して延びるように形成されている。さらに、この運搬用容器の各コーナ部には、容器本体及び周面フランジの強度を高めるためのコーナリブが、容器本体の各側壁に対して斜め方向に突設されるとともに、上部及び下部周面フランジ間を上下方向に連続して繋ぐように形成されている。
【０００３】
加えて、容器本体の側壁には、カードを添着するための添着部材が設けられ、被収容物の名称や記号等が表示されたカードを添着することができるようになっている。そして、この運搬用容器は、容器本体の一側壁に設けられた添着部材にカードを添着し、認識しやすい方向を保持しながら使用されていた。
【０００４】
【発明が解決しようとする課題】
ところが、前記従来の運搬用容器では、例えば、容器本体の一側壁に、その側壁の幅一杯の長さに形成されたカードを添着する場合には、カードの両端がコーナリブに乗り上げて容器本体の外方へ押し出され、反った状態でカードが添着されてしまっていた。このため、カードに表示されている文字、記号、情報等が読み取り難かったり、それらの代わりにバーコードが表示されている場合には、機械による読み取り作業の作業効率が著しく低下してしまっていた。
【０００５】
この発明は、上記のような従来技術に存在する問題点に着目してなされたものである。その目的とするところは、強度を高く維持しつつ、容器本体外面の連続した平坦面を広く形成することができ、カードを平坦に添着することができる運搬用容器を提供することにある。
【０００６】
【課題を解決するための手段】
上記の目的を達成するために、請求項１に記載の発明の運搬用容器は、有底四角箱状に形成された容器本体の上部に、横方向に延びる周面フランジを設けるとともに、容器本体のコーナ部に、上下を繋ぐように縦方向に延びる補強リブを設け、かつ容器本体の側壁の外面には、所定のカードを添着可能に構成した運搬用容器であって、前記補強リブが側壁に添着されたカードに触れないように、補強リブの基端側をその側壁の延長線上に延びるように形成するとともに、先端側をその側壁の外面とのなす角度が９０度又はそれより大きくなる方向に延びるように形成したものである。
【０００７】
請求項２に記載の発明の運搬用容器は、請求項１に記載の発明において、前記補強リブを断面Ｌ字状に形成したものである。
【０００８】
【発明の実施の形態】
以下、この発明を具体化した実施形態を図面に基づいて詳細に説明する。
図２に示すように、運搬用容器の容器本体１１は、合成樹脂により上面を開口した有底長四角箱状に一体形成され、底壁１２と、その底壁１２の周縁から立設された対向する各一対の長側壁１３及び短側壁１４とから構成されている。さらに、図７に示すように、一対の長側壁１３及び短側壁１４は、上部ほど互いの間隔が広がるように、僅かに斜め方向に傾斜して形成されている。
【０００９】
図２から図５に示すように、容器本体１１の上端には、その外周面を取り囲むように、上部周面フランジ１５が横方向に連続して突設されている。さらに、容器本体１１の下部には、その外周面を取り囲むように、下部周面フランジ１６が横方向に連続して突設され、容器本体１１の各一対の側壁１３、１４の強度を高く保持することができるようになっている。また、容器本体１１の短側壁１４から突設されている上部周面フランジ１５の下面は波状に形成され、容器本体１１を容易に把持することができるようになっている。
【００１０】
図５に示すように、底壁１２の下面には、複数の底壁リブ１７が縦横に交差するように突設され、底壁１２の強度を高く保持することができるようになっている。また、図２及び図３に示すように、一対の長側壁１３の両端部には、側壁リブ１８が長側壁１３と直交する方向に突設されるとともに、上部周面フランジ１５と下部周面フランジ１６とを上下方向に繋ぐように形成され、長側壁１３、上部周面フランジ１５及び下部周面フランジ１６の強度を高く保持することができるようになっている。
【００１１】
図２及び図６に示すように、容器本体１１の四隅において、各側壁１３、１４の延長線より外側に位置するコーナ部には、断面Ｌ字状のコーナリブ１９が突設されるとともに、上部周面フランジ１５と下部周面フランジ１６とを上下方向に繋ぐように形成されている。さらに、このコーナリブ１９は、その基端側が短側壁１４の延長方向に延びるように形成されているうえ、先端側がその短側壁１４と直交する方向に延びるように形成され、先端部は上部及び下部周面フランジ１５、１６端縁の直線部分に至っている。そして、これらのコーナリブ１９によって、短側壁１４、上部及び下部周面フランジ１５、１６の強度が高く保持されるようになっている。
【００１２】
また、コーナリブ１９基端側の短側壁１４と連続するように平坦に形成されている拡張面２０は、短側壁１４の外側面を左右方向に拡張している。このため、図１に示されるように、カード３０を短側壁１４の外側面に添着する場合には、そのカード３０が添着される平坦面を、容器本体１１の有効内寸より大きく、かつその外寸よりも小さくなるように形成されている。
【００１３】
図２、図７及び図８に示すように、容器本体１１の対向する一対の短側壁１４には、下部周面フランジ１６の上面と短側壁１４とを繋ぐように、一対の係合部２１がほぼ逆Ｌ字状に突設されている。図１に示すように、両係合部２１間には、運搬用容器の容器本体１１とは別体で形成された合成樹脂製のカード添着部材２２が係合されている。
【００１４】
このカード添着部材２２は、長四角板状に形成された付勢棒２３の両端に四角板状の係止部２４が形成され、それら係止部２４の内側には、一対の規制突起２５が突設されている。さらに、両規制突起２５の内側の付勢棒２３の外面には、ほぼ門型に形成された押圧板２６が突設されている。
【００１５】
そして、カード添着部材２２の両係止部２４を容器本体１１の両係合部２１に係合させたとき、両係止部２４の内面が短側壁１４の外側面と当接されるとともに、押圧板２６の内側面が短側壁１４に当接されるように構成されている。さらにこのとき、付勢棒２３の両端部が両係止部２４に対して捻れるように配設されることによって、押圧板２６が容器本体１１の内側へ付勢されるようになっている。また、押圧板２６を回動させる際には、規制突起２５の下部が下部周面フランジ１６の上面と当接されることによって、付勢棒２３が係止部２４に対して必要以上に捻れるのを防止することができるようになっている。
【００１６】
さて、図１に示すように、上記のように構成される運搬用容器は、カード添着部材２２の押圧板２６と短側壁１４との間に、四角板状のカード３０を挟持させることによって、カード３０を短側壁１４の外側面に密着するように添着させることができる。このとき、カード３０に表示されている文字、記号、情報等によって、容器本体１１内に収容されている被収容物の名称や宅配先等を一目で認識することが可能である。また、カード３０にバーコードが表示されている場合にも、カード３０が短側壁１４に密着されていることから、機械による読み取り作業を迅速に行うことができる。
【００１７】
さらに、この運搬用容器は、コーナリブ１９の拡張面２０によって、短側壁１４の外側面を構成する平坦面が左右方向に拡張して形成されていることから、カード３０の両端部を拡張面２０に添着させることができる。このため、添着されるカード３０としては、拡張面２０を含む短側壁１４の平坦面全体の大きさのものを使用することができ、カード３０に表示される文字、記号、情報等を大きくて認識しやすいものとすることができる。
【００１８】
一方、この運搬用容器は、容器本体１１の上部開口に、別の容器本体１１の底壁１２を挿入することによって、複数の運搬用容器を上下に積み重ねることができる。このとき、下方に位置する容器本体１１の上部周面フランジ１５は、上方に位置する容器本体１１の下部周面フランジ１６と当接するように配置される。その結果、下方に位置する容器本体１１は、上方に位置する運搬用容器の荷重を上部周面フランジ１５、側壁リブ１８及びコーナリブ１９によって受け止めることができる。
【００１９】
上記の実施形態によって発揮される効果について、以下に記載する。
・  実施形態の運搬用容器は、容器本体１１の各コーナ部において、上部周面フランジ１５と下部周面フランジ１６との間を縦方向に繋ぐようにコーナリブ１９を突設するとともに、そのコーナリブ１９の基端側を短側壁１４の延長線上に形成したものである。このため、短側壁１４外側面の左右に拡張面２０を加えた連続した平坦面を形成することができることから、より大きなカード３０を添着することができるとともに、カード３０が反った状態で添着されるのを防止することができる。
【００２０】
従って、カードに表示される文字、記号、情報等を大きく記載することができ、被収容物の名称や宅配先等をより一層迅速に認識することが可能である。また、文字や記号の代わりにバーコードが表示されている場合には、カード３０を反らさずに添着することによって、機械による読み取り作業に支障を来すことなく、読み取り作業の作業効率をより一層高めることが可能である。
【００２１】
・  コーナリブ１９の先端部を、短側壁１４から突設されている上部周面フランジ１５及び下部周面フランジ１６端縁の直線部分に至るように形成したことから、上部及び下部周面フランジ１５、１６の強度を高く保持することができるうえ、容器本体１１の強度をより一層高めることが可能である。
【００２２】
・  容器本体１１の長側壁１３及び短側壁１４は、上部ほど互いの間隔が広くなるように斜め方向に僅かに傾斜して形成されていることから、複数の容器本体１１を上下に積み重ねることが可能である。さらにこのとき、上方に位置する容器本体１１の下部周面フランジ１６と、下方に位置する容器本体１１の上部周面フランジ１５とが当接されることから、積み重ねた状態の容器本体１１を安定した状態で運搬することができる。また、この運搬用容器の製造過程において、上型を上方へ型抜きする際には、上型を容器本体１１から容易に分離させることが可能である。
【００２３】
なお、本実施形態は、次のように変更して具体化することも可能である。
（ａ）  図９に示すように、容器本体１１の長側壁１３側に係合部２１を設け、側壁リブ１８を短側壁１４側に形成するとともに、コーナリブ１９の拡張面２０が長側壁１３の外側面の左右に設けられるようにコーナリブ１９を形成すること。
【００２４】
このように構成した場合、長側壁１３の外側面における平坦面をより一層広く形成することができることから、長側壁１３の外側面に、上記実施形態で添着されるカード３０よりも、より一層大きなカード３０を添着することが可能である。
【００２５】
（ｂ）  実施形態の運搬用容器において、図１０（ａ）に示すように、容器本体１１の側壁リブ１８を省略すること。さらに、この運搬用容器において、コーナリブ１９をその基端側から短側壁１４の延長線上にさらに延長して形成し、その先端部を長側壁１３と平行な上部周面フランジ１５及び下部周面フランジ１６の端縁の直線部分に至るように形成すること。
【００２６】
また、前記（ａ）に記載の運搬用容器において、容器本体１１の側壁リブ１８を省略すること。さらに、この運搬用容器において、コーナリブ１９をその基端側から長側壁１３の延長線上にさらに延長して形成し、その先端部を短側壁１４と平行な上部周面フランジ１５及び下部周面フランジ１６の端縁の直線部分に至るように形成すること。
【００２７】
このように構成した場合、上部及び下部周面フランジ１５、１６の強度を高く保持しつつ、側壁リブ１８を省略することによって容器本体１１の構成を簡略化することが可能である。また、側壁リブ１８を形成しないことによって、成形のために必要な合成樹脂量を少なくすることができる。
【００２８】
さらに、長側壁１３及び短側壁１４の外側面における平坦面を広く形成することができることから、それらの外側面により一層大きなカード３０を添着することが可能である。
【００２９】
（ｃ）  実施形態の運搬用容器において、図１０（ｂ）に示すように、容器本体１１の側壁リブ１８を省略するとともに、コーナリブ１９の先端側を斜め方向に延びるように形成し、そのコーナリブ１９の先端部を上部周面フランジ１５及び下部周面フランジ１６のコーナに至るように形成すること。
【００３０】
また、前記（ａ）に記載の運搬用容器において、容器本体１１の側壁リブ１８を省略するとともに、コーナリブ１９の先端側を斜め方向に延びるように形成し、そのコーナリブ１９の先端部を上部周面フランジ１５及び下部周面フランジ１６のコーナに至るように形成すること。
【００３１】
このように構成した場合、長側壁１３及び短側壁１４から突設されている上部及び下部周面フランジ１５、１６の強度を高く保持しつつ、側壁リブ１８を省略することによって容器本体１１の構成を簡略化することが可能である。また、側壁リブ１８を形成しないことによって、成形のために必要な合成樹脂量を少なくすることができる。
【００３２】
さらに、長側壁１３及び短側壁１４の外側面における平坦面を広く形成することができることから、それらの外側面により一層大きなカード３０を添着することが可能である。
【００３３】
（ｄ）  実施形態の運搬用容器において、図１１（ａ）に示すように、容器本体１１の側壁リブ１８を省略するとともに、コーナリブ１９全体を短側壁１４の延長線上に延びるように形成し、そのコーナリブ１９の先端部を長側壁１３と平行な上部周面フランジ１５及び下部周面フランジ１６の端縁の直線部分に至るように形成すること。
【００３４】
また、前記（ａ）に記載の運搬用容器において、容器本体１１の側壁リブ１８を省略するとともに、コーナリブ１９全体を長側壁１３の延長線上に延びるように形成し、そのコーナリブ１９の先端部を短側壁１４と平行な上部周面フランジ１５及び下部周面フランジ１６の端縁の直線部分に至るように形成すること。
【００３５】
このように構成した場合、容器本体１１の構成を簡略化することが可能である。
（ｅ）  実施形態の運搬用容器において、図１１（ｂ）に示すように、容器本体１１のコーナリブ１９の基端部を長側壁１３の両端部やや中央寄りから突設するとともに、その基端側をコーナ部へ向かって斜め方向に延びるように形成すること。さらに、コーナリブ１９の先端側を長側壁１３と平行に延びるように形成するとともに、その先端部を短側壁１４と平行な上部周面フランジ１５及び下部周面フランジ１６の端縁の直線部分に至るように形成すること。なお、この運搬用容器において、コーナリブ１９の先端部を上部及び下部周面フランジ１５、１６のコーナに至るように形成してもよい。また、この運搬用容器において側壁リブ１８を省略してもよい。
【００３６】
また、前記（ａ）に記載の運搬用容器において、容器本体１１のコーナリブ１９の基端部を短側壁１４の両端部やや中央寄りから突設するとともに、その基端側をコーナ部へ向かって斜め方向に延びるように形成すること。さらに、コーナリブ１９の先端側を短側壁１４と平行に延びるように形成するとともに、その先端部を長側壁１３と平行な上部周面フランジ１５及び下部周面フランジ１６の端縁の直線部分に至るように形成すること。なお、この運搬用容器において、コーナリブ１９の先端部を上部及び下部周面フランジ１５、１６のコーナに至るように形成してもよい。また、この運搬用容器において側壁リブ１８を省略してもよい。
【００３７】
（ｆ）  実施形態及び前記（ａ）から前記（ｅ）に記載の運搬用容器において、容器本体１１の各一対の長側壁１３側及び短側壁１４側に係合部２１を形成すること。
【００３８】
このように構成した場合、長側壁１３及び短側壁１４の任意の側面にカード３０を添着することができることから、工場内での流れ作業や物流における仕分け作業等に用いられている設備に即した作業形態で作業することができる。
【００３９】
（ｇ）  実施形態及び前記（ａ）から前記（ｆ）に記載の運搬用容器において、係合部２１及びカード添着部材２２を省略して構成するとともに、例えば、粘着テープや、側壁１３、１４に固着されたクリップ又はマグネット等を用いて、カード３０を短側壁１４又は長側壁１３の外側面に添着すること。
【００４０】
このように構成した場合、容器本体１１の構成を簡略化することが可能である。
（ｈ）  実施形態及び前記（ａ）から前記（ｇ）に記載の運搬用容器において、短側壁１４側に設けられている上部周面フランジ１５下面の波状の突起、底壁リブ１７及び下部周面フランジ１６の少なくとも１種を省略して構成すること。
【００４１】
このように構成した場合、容器本体１１の構成を簡略化することが可能である。
さらに、前記実施形態より把握できる技術的思想について以下に記載する。
【００４２】
（１）  前記補強リブ間の側壁を平坦に形成した請求項１又は請求項２に記載の運搬用容器。
このように構成した場合、容器本体の外面にカードを平坦に添着することができる。
【００４３】
（２）  前記側壁に、カードを添着するための、側壁側への付勢力を備えたカード添着部材を設けた請求項１、請求項２及び前記（１）のいずれかに記載の運搬用容器。
【００４４】
このように構成した場合、容器本体の外面にカードを容易に添着することができる。
（３）  前記側壁と隣接する両側壁に、補強用のリブを設けた請求項１、請求項２、前記（１）及び前記（２）のいずれかに記載の運搬用容器。
【００４５】
このように構成した場合、運搬用容器の強度をより一層高めることができる。
【００４６】
【発明の効果】
この発明は、以上のように構成されているため、次のような効果を奏する。
請求項１に記載の運搬用容器の発明によれば、強度を高く維持しつつ、容器本体外面の連続した平坦面を広く形成することができ、カードを平坦に添着することができる。
【図面の簡単な説明】
【図１】  実施形態のカードが添着された運搬用容器を示す斜視図。
【図２】  実施形態の運搬用容器を示す斜視図。
【図３】  実施形態の運搬用容器を示す正面図。
【図４】  実施形態の運搬用容器を示す平面図。
【図５】  実施形態の運搬用容器を示す底面図。
【図６】  図３の６−６線から見た運搬用容器を示す平断面図。
【図７】  図４の７−７線から見た運搬用容器を示す正断面図。
【図８】  図４の８−８線から見た運搬用容器を示す正断面図。
【図９】  実施形態以外の運搬用容器を示す平断面図。
【図１０】  （ａ）及び（ｂ）は、いずれも実施形態以外の運搬用容器を示す平断面図。
【図１１】  （ａ）及び（ｂ）は、いずれも実施形態以外の運搬用容器を示す平断面図。
【符号の説明】
１１…容器本体、１３…側壁としての長側壁、１４…側壁としての短側壁、１５…上部周面フランジ、１９…補強リブとしてのコーナリブ、３０…カード。
【図１】
0004063441.tif 000002
【図２】
0004063441.tif 000003
【図３】
0004063441.tif 000004
【図４】
0004063441.tif 000005
【図５】
0004063441.tif 000006
【図６】
0004063441.tif 000007
【図７】
0004063441.tif 000008
【図８】
0004063441.tif 000009
【図９】
0004063441.tif 000010
【図１０】
0004063441.tif 000011
【図１１】
0004063441.tif 000012